(57)【特許請求の範囲】
【請求項１】
複数の景品を載置する景品支持面上の景品を把持する景品掴持装置と、
前記景品掴持装置によって掴持された景品を投入する景品投入開口と、
前記景品投入開口の下方に位置し、前記景品を収納する景品収納部と、
プレイヤが前記景品収納部内の前記景品を取り出すための景品取出し開口と、
前記景品取出し開口を開閉自在に塞ぐ開閉扉と、
前記景品収納部内で、前記景品取出し開口から前記景品投入開口の間を、奥行き方向へ向けて直角に回転可能に枢支されたフラップ板と、
前記フラップ板を前記景品投入開口を塞ぐ位置で停止させるストッパー手段と、
を備え、
前記景品収納部は、前記フラップ板の枢支軸から先端への長さと略同一の奥行き寸法の位置にある後板を備えるとともに、
該後板の下部は、上記奥行き寸法位置より後退するように形成され、
前記景品収納部は、前記景品取出し開口から前記後板の下部に至る平板状底板を備え、
プレイヤが前記フラップ板を回転させることなく小さい景品を取出しうる程度の間隙が、前記フラップ板と前記景品収納部の前記平板状底板との間に設けられた、
ことを特徴とする景品取得ゲーム装置。
【発明の詳細な説明】
【０００１】
【技術の属する技術分野】
本発明は、プレイヤーが景品取出し操作手段を操作して、筐体内の景品を景品取出し収納部へ搬出することが成功した場合に、該景品取出し収納部内の景品を外部へ取出すことができる景品取得ゲーム機の景品取出し装置に関するものである。
【０００２】
【従来技術および解決しようとする課題】
従来の景品取得ゲームにおいては、特開平８−８２４号公報に記載されているように、景品取出し開口は、筐体内の景品載置空間内に連通しているため、該景品取出し開口より景品載置空間内に直接手を差込み、または掴持器具を差込み、該景品載置空間の景品を不正に取出すことができるようになっている。
【０００３】
また景品が大型化すると、小犬や猫等が前記景品取出し開口より景品載置空間内に侵入して、景品取得ゲーム機の内部構造や、景品載置空間内の景品が荒され、景品取得ゲーム機が故障を起し、または景品の商品価値が著しく損なわれることがある。
【０００４】
【課題を解決するための手段および効果】
本発明は、このような不具合を解消した景品取得ゲーム機の景品取出し装置の改良に係り、複数の景品を載置する景品支持面上の景品を把持する景品掴持装置と、前記景品掴持装置によって掴持された景品を投入する景品投入開口と、前記景品投入開口の下方に位置し、前記景品を収納する景品収納部と、プレイヤが前記景品収納部内の前記景品を取り出すための景品取出し開口と、前記景品取出し開口を開閉自在に塞ぐ開閉扉と、
前記景品収納部内で、前記景品取出し開口から前記景品投入開口の間を、奥行き方向へ向けて直角に回転可能に枢支されたフラップ板と、前記フラップ板を前記景品投入開口を塞ぐ位置で停止させるストッパー手段とを備え、
前記景品収納部は、前記フラップ板の枢支軸から先端への長さと略同一の奥行き寸法の位置にある後板を備えるとともに、該後板の下部は、上記奥行き寸法位置より後退するように形成され、前記景品収納部は、前記景品取出し開口から前記後板の下部に至る平板状底板を備え、プレイヤが前記フラップ板を回転させることなく小さい景品を取出しうる程度の間隙が、前記フラップ板と前記景品収納部の前記平板状底板との間に設けられたことを特徴とする景品取得ゲーム装置。
【０００５】
本発明は、前記したように構成されているので、前記景品取得ゲーム機でプレイヤーが景品取得に成功すると、景品が前記景品収納部へ搬出され、前記開口より該景品取出し収納部内の景品を取出すことができる。
【０００６】
しかし、前記景品取得ゲーム機でプレイを行わずに、あるいは、景品取得に失敗した場合に、前記開口より手または器具を前記景品収納部内に差込み、この景品収納部を通過して景品取得ゲーム機の筐体内の景品載置個所迄到達させ、景品を不正に取出そうとしても、直角に回転可能に枢支されたフラップ板によって、不正取出しが阻止される。
【０００７】
そして、前記景品収納部内の景品は、前記フラップ板の該景品収納部奥側への揺動により、取出し可能となる。
【０００８】
そして、前記フラップ板は扁平部材で、該扁平部材は揺動自在に枢支され、その揺動を所定の範囲に制限するストッパー手段が設けられたため、前記フラップ板の構造が簡略化されて、コストダウンが可能となる。
【０００９】
また、景品が小さな場合には、前記フラップ板に全く手や景品が触れない状態で、前記景品収納部内の景品を取出すことができる。
【００１０】
【発明の実施の形態】
以下、図面に示された本発明の一実施形態について説明する。
【００１１】
本実施形態の景品取得ゲーム機は、クレーンゲーム機１であって、その筐体２は、平面形状が正方形で、その角部が１／４円弧状に丸くなった略直方体に形成されている。
【００１２】
また、筐体２は、基台３と、該基台３の外壁板３ａの左右巾中央に鉛直に立設された支柱４と、該支柱４の右方に位置して基台外壁面３ａに沿って鉛直に立設さた支柱５と、これら支柱４，５間に張設された透明板６と、前記支柱４，５に支持された天板７と、基台３の頂壁面３ｂの中心と天板７の中心とに立設されたケーブル筒８と、該ケーブル筒８および支柱４とに鉛直に張設された透明仕切板９とよりなっており、筐体２のプレー空間10内にて、基台頂壁面３ｂ上に、大きな縫包みのような各種大型景品11が、多数積重ねられた状態で載置されている。
【００１３】
さらに、基台３の頂壁面３ｂの各隅部には、ユニット化された景品取出し装置20がそれぞれ配設され、該景品取出し装置20の開閉扉関連体30に開口32が開閉自在に設けられており、プレイヤーが該開口32を開けば、景品取出し装置20の景品取出し収納関連体21の景品取出し収納部22内に収納された景品11を取出すことができるようになっている。
【００１４】
さらにまた、各支柱４の左側に隣接して基台外壁面３ａの上部に、操作卓12が配設され、該操作卓12の上面には、天井走行型クレーン18の左右方向（Ｘ方向）と前後方向（Ｙ方向）との各走行位置を設定できる横行操作ボタンスイッチ13と縦行操作ボタンスイッチ14とが配設されるとともに、横行操作ボタンスイッチ13，縦行操作ボタンスイッチ14の中間に残りゲーム回数を表示する７セグメントの残りゲーム回数表示器15が配設され（横行操作ボタンスイッチ13の左側に配置してもよい）、かつコイン投入口16も設けられている。
【００１５】
しかも、各透明板６の頂部内側には、遮蔽板17が全周に亘って張設されており、天板７の下方に配設された各プレー空間10内の天井走行型クレーン18は、外部に露出しないように、遮蔽板17によって覆われている。
【００１６】
また、天井走行型クレーン18の走行基部18ａに伸縮パイプ18ｂが上下に伸縮自在に垂下して設けられ、該伸縮パイプ18ｂの下端に掴持装置19が取付けられており、前記天井走行型クレーン18の走行基部18ａは、ホームポジション（左，手前端）から右方および奥方向へ所要の位置に移動し、その後、伸縮パイプ18ｂが下方へ伸長してから、掴持装置19の掴持爪19ａが閉じて、景品11の掴持が終了した後、伸縮パイプ18ｂが短縮するとともに天井走行型クレーン18の走行基部18ａが再びホームポジションに戻り、掴持装置19の掴持爪19ａが開いて、ホームポジション下方に位置した景品取出し装置20の景品取出し収納部22内に景品11が落下するようになっている。
【００１７】
しかして、前記景品取出し装置20は、筐体２内の景品11を受入れてこれを収納する景品取出し収納関連体21と、該景品取出し収納関連体21の景品取出し収納部、すなわち景品収納部22内の景品11を外部へ取出すことができる開閉扉関連体30とよりなり、該景品取出し収納関連体21と開閉扉関連体30とが相互に一体に結合されて１ユニット構造に構成されている。
【００１８】
まず、景品取出し収納関連体21は、図７ないし図８および図１０に図示されるように、手前板が欠除された略直方体で奥側下部が拡げられ、底板23ａの左手前側が切欠かれるとともに左側板23ｂの手前側が欠除されたダクト23と、該ダクト23の手前側上部に取付けられるフラップブラケット24と、該フラップブラケット24に上端縁が前後に揺動自在に枢支されたフラップ25と、前記ダクト23の上端縁とフラップブラケット24の上端縁とに取付けられるセンサーブラケット26と、該センサーブラケット26に取付けられる直径が約４０cmの景品投入円筒27とよりなり、これらはいずれも板金製であって、相互にボルトナット等で一体に結合されている。
【００１９】
またフラップ25の上下長さは、図５に図示されるように、フラップブラケット24との枢支部25ｃからダクト23の後板23ｃ迄の距離と略同一の長さに設定され、図１１に図示されるように、フラップ25の左右両側部25ａは奥側へ直角に折曲され、さらにその奥部で左右外方へ直角に折返されて折返し片25ｂが形成され、左右両側部25ａの巾は、フラップ25が奥側へ直角に揺動された際に、図５に図示されるように、折返し片25ｂがセンサーブラケット26の下面に当接することができる長さに設定されており、フラップ25が奥側へ直角に揺動された場合には、フラップ25でもって、景品取出し収納部22の上部が密閉されるようになっている。
【００２０】
さらに、センサーブラケット26の前後板26ａ，26ｂ（図10）に４対の光センサ28が、左右方向へ亘り等間隔に配設され、該光センサ28の発光部28ａと受光部28ｂとは、隣接光センサ28間で逆になるように配置されている。
【００２１】
次に開閉扉関連体30について説明すると、図９および図１２ないし図２０に図示されるように、開閉扉関連体30は、合成樹脂成形品の扉保持枠31と、扉保持枠31の開口32を開閉自在に塞ぐ合成樹脂製の開閉扉33とよりなっている。
【００２２】
そして、扉保持枠31は、図９および図１７ないし図２０に図示されるように、平面形で略１／４円弧状に形成されるとともに、図１５に図示されるように、扉保持枠31の略中央に開口32が形成され、扉保持枠31の底部には、景品取出し収納関連体21におけるダクト23の底板23ａの左手前側の切欠きを塞ぐ形状の底板31ａが形成されている。
【００２３】
また、開口32の上下に隣接した扉保持枠31の開口上下縁には、浅い溝31ｂが形成され、該溝31ｂに図示されないスポンジ帯が粘着されており、開閉扉33を閉じた際に、その衝撃が吸収されるようになっている。
【００２４】
さらに開口32の左側（外から見て）に隣接した扉保持枠31の開口左縁には、奥側に窪んだ扉枢支凹部31ｃが形成され、図１３に図示されるように、該扉枢支凹部31ｃの上下前面31ｄの孔に枢支金具34のネジ部34ａが貫通され、該ネジ部34ａに螺合するナット34ｂでもって、枢支金具34は、扉保持枠31における扉枢支凹部31ｃの上下前面31ｄに一体に結合される。
【００２５】
さらにまた、開閉扉33は、扉保持枠31の開口32に合せて図１３に図示されるように弯曲成形され、図１２に図示されるように、該開閉扉33の枢支基部内面に扉取付け片35が当てがわれるとともに、その外面に当板36が当てがわれ、該当板36、開閉扉33および扉取付け片35を貫通して３者を一体に結合するボルトナット37によって扉取付け片35が開閉扉33に取付けられ、該扉取付け片35の上下端部35ａは直角に折曲され、該上下端部35ａの孔35ｂにベアリング38を介して枢支金具34の軸部34ｃが揺動自在に枢支されている。
【００２６】
しかも開閉扉33の右側には取手39が取付けられている。
【００２７】
また扉保持枠31の上面には、図９に図示されているように、外側が高く内側が低い段部31ｅが形成されており、この段部31ｅに透明板６の下端が係合されるようになっている。
【００２８】
図示の実施形態は、前記したように構成されているので、プレイを行なっていない状態では、透明仕切板９で仕切られた各プレー空間10内では、天井走行型クレーン18は、景品投入円筒27の直上のホームポジションに位置しており、プレイヤーが、所要の操作卓12の前に近づき、コイン投入口16に所定のコインを投入すると、クレーンゲーム機１は作動状態となる。
【００２９】
そして、プレイヤーが横行操作ボタンスイッチ13を押すと、走行基部18ａが右方へ移動を始める。そして所要の位置に走行基部18ａが到達した時に、プレイヤーが横行操作ボタンスイッチ13の押しを解除すると、走行基部18ａは停止する。
【００３０】
また、プレイヤーが縦行操作ボタンスイッチ14を押すと、走行基部18ａが手前側から奥へと移動する。所要の位置で、プレイヤーが縦行操作ボタンスイッチ14の押しを解除すると、走行基部18ａが停止する。
【００３１】
走行基部18ａが停止すると、伸縮パイプ18ｂが伸長し、最も伸びた状態で、掴持爪19ｂが閉じ始める。そして掴持爪19ａが閉じ終わると、伸縮パイプ18ｂが短縮するとともに、走行基部18ａが元の位置に向って移動し、走行基部18ａが景品投入円筒27の開口直上のホームポジションに戻り、再び伸縮パイプ18ｂが下方へ伸長するとともに、掴持爪19ａが開放し、残りゲーム回数表示器15には、残りゲーム数１だけが減算されて表示される。
【００３２】
掴持爪19ａによって景品11を掴持でき、天井走行型クレーン18の動作中に、掴持爪19ａから景品11が落下しなければ、景品11は景品投入円筒27を介して景品取出し収納部22内に落下する。
【００３３】
そして景品11が小さければ、開閉扉33を開き、景品取出し収納部22内に手を差込み、景品取出し収納部22におけるダクト23の底板23ａ上の景品11を掴んで開口32から取出すことができる。
【００３４】
もし景品11が大きい場合には、開閉扉33を開き、フラップ25を奥に押込めば、フラップ25は枢支部25ｃを中心に後上方へ跳上げられ、フラップ25に邪魔されずに、開口32から景品11を取出すことができる。
【００３５】
また開口32から景品取出し収納部22内に手を差込み、さらに景品投入円筒27からプレー空間10内に手を伸して、プレー空間10内の景品11を取出そうとしても、フラップ25が上方へ跳上げられて、景品取出し収納部22がフラップ25で密閉されて、プレー空間10内への侵入が阻止され、景品11の不正取出しが未然に防止される。
【００３６】
さらに景品取出し装置20は、景品取出し収納関連体21と開閉扉関連体30とで予めユニット化されるため、クレーンゲーム機１の基台３の４隅に景品取出し装置20をそれぞれ配置し、クレーンゲーム機１を組立てればよいので、組立作業が簡単である。
【００３７】
さらにまた景品取出し装置20を変えずに、クレーンゲーム機１の大きさに応じて筐体２や基台３の大きさを変更するだけで足りるため、設計変更が頗る容易である。
【００３８】
しかも、クレーンゲーム機１の大きさが変っても、景品取出し装置20は一定規格でよいため、大巾なコストダウンが可能となる。
【００３９】
また透明板６の４隅下部には、景品取出し装置20の開閉扉関連体30における扉保持枠31の段部31ｅに係合されているため、安定している。
【００４０】
図示の実施形態では、フラップ25が垂下した状態では、フラップ25の下縁とダクト23の底部23ａとに間隙がある。
【図面の簡単な説明】
【図１】  本発明の一実施形態を備えたクレーンゲーム機の斜視図である。
【図２】  図１の正面図である。
【図３】  図１の平面図である。
【図４】  本発明の一実施形態たる景品取出し装置の正面図である。
【図５】  図４の側面図である。
【図６】  図４の平面図である。
【図７】  ダクトの側面図である。
【図８】  図７の平面図である。
【図９】  扉保持枠の斜視図である。
【図１０】  景品取出し装置の分解斜視図である。
【図１１】  フラップブラケットにフラップを枢着した状態の斜視図である。
【図１２】  開閉扉の枢支部分の分解斜図である。
【図１３】  図４のＸIII −ＸIII に沿って裁断した横断平面図である。
【図１４】  図１３のＸIV矢視図である。
【図１５】  扉保持枠の正面図である。
【図１６】  図４のＸVI−ＸVI線に沿って裁断した縦断面図である。
【図１７】  扉保持枠の平面図である。
【図１８】  図１５のＸVIII−ＸVIII線に沿って裁断した横断平面図である。
【図１９】  図１５のＸIX−ＸIX線に沿って裁断した横断平面図である。
【図２０】  図１５のＸＸ−ＸＸ線に沿って裁断した横断平面図である。
【符号の説明】
１…クレーンゲーム機、２…筐体、３…基台、４，５…支柱、６…透明板、７…天板、８…ケーブル筒、９…透明仕切板、10…プレー空間、11…景品、12…操作卓、13…横行操作ボタンスイッチ、14…縦行操作ボタンスイッチ、15…残りゲーム回数表示器、16…コイン投入口、17…遮蔽板、18…天井走行型クレーン、19…掴持装置、20…景品取出し装置、21…景品取出し収納関連体、22…景品（取出し）収納部、23…ダクト、24…フラップブラケット、25…フラップ、26…センサーブラケット、27…景品投入円筒、28…光センサ、30…開閉扉関連体、31…扉保持枠、32…開口、33…開閉扉、34…枢支金具、35…扉取付け片、36…当板、37…ボルトナット、38…ベアリング、39…取手。
【図１】
0003900641.tif 000002
【図２】
0003900641.tif 000003
【図３】
0003900641.tif 000004
【図４】
0003900641.tif 000005
【図５】
0003900641.tif 000006
【図６】
0003900641.tif 000007
【図７】
0003900641.tif 000008
【図８】
0003900641.tif 000009
【図９】
0003900641.tif 000010
【図１０】
0003900641.tif 000011
【図１１】
0003900641.tif 000012
【図１２】
0003900641.tif 000013
【図１３】
0003900641.tif 000014
【図１４】
0003900641.tif 000015
【図１５】
0003900641.tif 000016
【図１６】
0003900641.tif 000017
【図１７】
0003900641.tif 000018
【図１８】
0003900641.tif 000019
【図１９】
0003900641.tif 000020
【図２０】
0003900641.tif 000021